(57)【要約】【課題】利用者を複数の方向から照射することができるようにする。【解決手段】写真シール機が提供する一連のゲーム中に撮影空間において利用者により行われる撮影処理には本撮影処理と被写体の画像処理とが含まれる。撮影処理が開始された場合、本撮影処理が終了するまでの間は、撮影空間内の明るさは例えば100%の明るさとされ、本撮影処理が終了したとき、撮影空間内の明るさが例えば25%の明るさになるように照明の発光量が調整される。本発明は、利用者自身が被写体となって撮影を行う撮影処理と、撮影処理によって得られた撮影画像の編集を行う編集処理とを少なくとも利用者に行わせ、撮影画像、または編集処理により得られた編集済みの画像をシール紙に印刷して提供する装置に適用することができる。【選択図】図１
2015043092.tif 000002
【特許請求の範囲】
【請求項１】
利用者を被写体として撮影を行う撮影空間と、撮影によって得られた撮影画像の編集を行う編集空間とが設けられた写真シール機において、
ユニット内に設けられ、前記利用者を撮影するカメラと、
前記カメラの前方に立つ前記利用者に斜め上方から光を照射する第１の照射部と、
前記ユニットを構成する面のうち、前記カメラのレンズが露出する面の一部に発光面が設けられ、前記利用者に光を照射する第２の照射部と、
前記ユニットの下方に設けられる箱形状のベース部と、
前記ベース部に発光面が形成され、前記利用者に斜め下方から光を照射する第３の照射部と、
前記ベース部に発光面が形成され、前記カメラの前方に立つ前記利用者の足元に光を照射する第４の照射部と
を備え、
前記第１の照射部、前記第２の照射部、前記第３の照射部、および前記第４の照射部は、その順に、縦に並べて前記撮影空間内に設けられる
写真シール機。
【請求項２】
前記ベース部に設けられる前記第４の照射部の発光面は、前記カメラのレンズが露出する前記ユニットの面より、前記利用者に近い位置に形成される
請求項１に記載の写真シール機。
【請求項３】
前記第３の照射部の発光面は斜面であり、前記第４の照射部の発光面は垂直面である
請求項１または２に記載の写真シール機。
【請求項４】
前記撮影空間の天井に設けられ、前記利用者に上方から光を照射する第５の照射部をさらに備え、
前記カメラが設けられる前記撮影空間の面に対して、前記第５の照射部より近い前記天井の内側の色は暗い色であり、前記第５の照射部より遠い前記天井の内側の色は明るい色である
請求項１乃至３のいずれかに記載の写真シール機。
【請求項５】
前記カメラが設けられる前記撮影空間の面を正面、対向する前記撮影空間の面を背面とした場合、前記撮影空間の出入口は左右の側面に設けられ、
前記出入口に取り付けられるカーテンは、内側が暗い色のカーテンである
請求項１乃至４のいずれかに記載の写真シール機。
【発明の詳細な説明】
【技術分野】
【０００１】
本発明は、特に、利用者を複数の方向から照射することができるようにした写真シール機に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。例えば撮影空間は、写真シール機の筐体自体やカーテンなどにより外部から仕切られている。
【０００４】
撮影空間での撮影処理には撮影前設定と本撮影が含まれる。撮影前設定は、撮影画像の写りの設定、撮影画像の明るさの設定、撮影画像に合成する合成用画像の設定等の撮影に関する設定を利用者に行わせる処理であり、本撮影は、カメラにより取り込んだ被写体の動画像をライブビュー表示した後に撮影を行う処理である。
【０００５】
特許文献１には、利用者が選択した撮影モードに応じて、撮影時に被写体を照射するフラッシュ光の光量を変更することが可能な写真シール機が開示されている。特許文献２には、各ストロボ装置の発光量が異なる複数の照明モードを備えており、利用者が選択した照明モードに応じてストロボ装置の発光を制御する写真シール機が開示されている。特許文献３には、利用者が選択した合成用画像に応じて照明の点灯を制御可能な写真シール機が開示されている。
【先行技術文献】
【特許文献】
【０００６】
【特許文献１】特開２００４−１７７７６７号公報
【特許文献２】特開２００４−１９３９６７号公報
【特許文献３】特開２００７−２５１９３８号公報
【発明の概要】
【発明が解決しようとする課題】
【０００７】
従来の写真シール機においては、撮影処理の間、撮影の瞬間にフラッシュを照射するタイミングを除いて、撮影空間内の明るさは蛍光灯などの照明機器によって一定に保たれていることが多い。上述したように撮影処理が撮影前設定と本撮影からなるものとすると、撮影前設定の開始から、本撮影を開始し、被写体の動画像をライブビュー表示するまでの間も撮影空間内の明るさは一定に保たれることになる。
【０００８】
このことから、処理が切り替わったタイミングを利用者に認識させづらく、それぞれの作業に利用者を集中させることができない。
【０００９】
本発明はこのような状況に鑑みてなされたものであり、利用者を複数の方向から照射することができるようにするものである。
【課題を解決するための手段】
【００１０】
本発明の写真シール機は、利用者を被写体として撮影を行う撮影空間と、撮影によって得られた撮影画像の編集を行う編集空間とが設けられた写真シール機において、ユニット内に設けられ、前記利用者を撮影するカメラと、前記カメラの前方に立つ前記利用者に斜め上方から光を照射する第１の照射部と、前記ユニットを構成する面のうち、前記カメラのレンズが露出する面の一部に発光面が設けられ、前記利用者に光を照射する第２の照射部と、前記ユニットの下方に設けられる箱形状のベース部と、前記ベース部に発光面が形成され、前記利用者に斜め下方から光を照射する第３の照射部と、前記ベース部に発光面が形成され、前記カメラの前方に立つ前記利用者の足元に光を照射する第４の照射部とを備え、前記第１の照射部、前記第２の照射部、前記第３の照射部、および前記第４の照射部は、その順に、縦に並べて前記撮影空間内に設けられる。
【００１１】
前記ベース部に設けられる前記第４の照射部の発光面を、前記カメラのレンズが露出する前記ユニットの面より、前記利用者に近い位置に形成することができる。
【００１２】
前記第３の照射部の発光面は斜面であり、前記第４の照射部の発光面は垂直面であるようにすることができる。
【００１３】
前記撮影空間の天井に設けられ、前記利用者に上方から光を照射する第５の照射部をさらに設けることができる。この場合、前記カメラが設けられる前記撮影空間の面に対して、前記第５の照射部より近い前記天井の内側の色は暗い色であり、前記第５の照射部より遠い前記天井の内側の色は明るい色であるようにすることができる。
【００１４】
前記カメラが設けられる前記撮影空間の面を正面、対向する前記撮影空間の面を背面とした場合、前記撮影空間の出入口を左右の側面に設け、前記出入口に取り付けられるカーテンを、内側が暗い色のカーテンとすることができる。
【発明の効果】
【００１５】
本発明によれば、利用者を複数の方向から照射することができる。
【図面の簡単な説明】
【００１６】
【図１】写真シール機の外観の構成例を示す斜視図である。
【図２】カーテンを取り付けた状態の写真シール機の外観を示す斜視図である。
【図３】写真シール機の外観を他の角度からみた斜視図である。
【図４】利用者の移動について説明する図である。
【図５】撮影部の構成例を示す図である。
【図６】撮影部の色について説明する図である。
【図７】背景部の構成例を示す図である。
【図８】編集部の構成例を示す図である。
【図９】事後接客部の構成例を示す図である。
【図１０】写真シール機の内部の構成例を示すブロック図である。
【図１１】明るさの調整の例を示すタイムチャートである。
【図１２】明るさの調整の他の例を示すタイムチャートである。
【図１３】明るさの調整のさらに他の例を示すタイムチャートである。
【図１４】写真シール作成ゲームを提供する処理について説明するフローチャートである。
【図１５】図１４のステップＳ２において行われる本撮影処理について説明するフローチャートである。
【図１６】図１４のステップＳ３において行われる被写体の画像処理について説明するフローチャートである。
【図１７】ライブビュー画面の例を示す図である。
【図１８】写真シール機の他の外観の構成例を示す斜視図である。
【図１９】カーテンを取り付けた状態の図１８の写真シール機の外観を示す斜視図である。
【図２０】図１８の写真シール機の外観を他の角度からみた斜視図である。
【図２１】利用者の移動について説明する図である。
【図２２】編集部の正面の構成例を示す図である。
【図２３】編集部の側面の構成例を示す図である。
【図２４】事中接客部の構成例を示す図である。
【図２５】図１８の写真シール機の内部の構成例を示すブロック図である。
【図２６】写真シール作成ゲームを提供する処理について説明するフローチャートである。
【発明を実施するための形態】
【００１７】
＜第１の実施の形態＞
［写真シール機の外観構成］
図１は、本発明の一実施形態に係る写真シール機１の外観の構成例を示す斜視図である。
【００１８】
写真シール機１は、撮影や編集等の作業を利用者にゲームとして行わせ、撮影画像や編集済み画像を提供する代わりに利用者より代金を受け取るゲーム機である。写真シール機１はゲームセンタなどの店舗に設置される。利用者は１人であることもあるし、複数人であることもある。
【００１９】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２０】
図１に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００２１】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２２】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２３】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図３）から構成される。
【００２４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００２５】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００２６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。
背景カーテンユニット２５は、撮影部２１に設けられたカメラ等による撮影と連動して動作し、撮影の際に、例えば利用者により選択された色のカーテンを下ろし、その他のカーテンを巻き取る。
【００２７】
複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００２８】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００２９】
図２に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００３０】
また、図２に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００３１】
図１の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３２】
図１に示す編集部１２の構成を正面側の構成とすると、２組の利用者が同時に編集処理を行うことができるように、編集部１２の正面側と背面側には編集処理に用いられる構成がそれぞれ設けられる。
【００３３】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００３４】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００３５】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００３６】
図３は、写真シール機１を別の角度から見た斜視図である。
【００３７】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００３８】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００３９】
ここで、写真シール作成ゲームの流れと、それに伴う利用者の移動について図４を参照して説明する。図４は、写真シール機１を上から見た平面図である。
【００４０】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４１】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４２】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４３】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４４】
画像の印刷が終了したとき、利用者は、事後接客部１３に設けられた排出口からシール紙を受け取り、一連の写真シール作成ゲームを終えることになる。
【００４５】
［各装置の構成］
次に、各装置の構成について説明する。
【００４６】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００４７】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００４８】
正面パネル４１のほぼ中央には撮影・表示ユニット８１が設けられる。撮影・表示ユニット８１は、カメラ９１、正面ストロボ９２、およびタッチパネルモニタ９３から構成される。
【００４９】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５０】
カメラ９１を囲むように発光面が設けられた正面ストロボ９２は、他のストロボと同様にカメラ９１による撮影に合わせて発光し、被写体としての利用者の顔付近を正面から照射する。
【００５１】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５２】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５３】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５４】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００５５】
足元ストロボ８６の右側には、利用者がお金を投入する硬貨投入返却口８７が設けられる。
【００５６】
下ストロボ８５を挟んでベース部４３の上面の左右に形成されるスペース４３Ａおよび４３Ｂは、撮影処理を行う利用者が手荷物等を置くための荷物置き場として用いられる。
正面パネル４１の例えば天井付近には、撮影処理の案内音声、BGM(Back Ground Music)、効果音等の音を出力するスピーカも設けられる。
【００５７】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図６に色を付して示すように黒色などの暗い色とされる。図２を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００５８】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００５９】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００６０】
また、図２を参照して説明したように、撮影空間Ａ１の天井後方の開口に取り付けられる天井後方カーテン６２の内側の色は明るい色であり、撮影空間Ａ１の後方の色は全体的に明るい色となる。
【００６１】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。また、撮影画像から抽出した利用者の部分を他の画像と合成する場合などにクロマキ処理が行われるが、背景を明るくすることによってクロマキ処理を正しく行うことが可能になる。
【００６２】
図７は、背景部２２の撮影空間Ａ１側の構成例を示す図である。
【００６３】
上述したように、背面パネル５１の上方には背景カーテンユニット２５が設けられる。
背景カーテンユニット２５のほぼ中央には、撮影空間Ａ１内で撮影処理を行っている利用者を後方中央から照射する背面中央ストロボ１０１が取り付けられる。
【００６４】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６５】
図８は、編集部１２の正面側（編集空間Ａ２−１側）の構成例を示す図である。
【００６６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６７】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００６８】
編集部１２の左側には事後接客部１３が設けられる。
【００６９】
図９は、事後接客部１３の正面側の構成例を示す図である。
【００７０】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００７１】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００７２】
非接触型ICリーダ／ライタ１６３は、近接された非接触型ICと通信を行い、非接触型ICからのデータの読み出しや非接触型ICに対するデータの書き込みを行う。
【００７３】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７４】
スピーカ１６５は、事後接客処理の案内音声、BGM、効果音等の音を出力する。
【００７５】
［写真シール機の内部構成］
次に、写真シール機１の内部構成について説明する。図１０は、写真シール機１の内部の構成例を示すブロック図である。上述した構成と同じ構成には同じ符号を付してある。
重複する説明については適宜省略する。
【００７６】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００７７】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００７８】
通信部２０３はインターネットなどのネットワークのインタフェースであり、制御部２０１による制御に従って外部の装置と通信を行う。
【００７９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８０】
ROM２０６には、制御部２０１において実行されるプログラムやデータが記憶されている。RAM２０７は、制御部２０１が処理するデータやプログラムを一時的に記憶する。
【００８１】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８２】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８３】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８４】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００８５】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００８６】
カメラ９１は、制御部２０１による制御に従って撮影を行い、撮影によって得られた画像を制御部２０１に出力する。
【００８７】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００８８】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８９】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９０】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００９１】
［撮影空間の明るさの調整について］
ここで、撮影空間Ａ１の明るさの調整について説明する。
【００９２】
撮影空間Ａ１において行われる撮影処理には、本撮影処理と被写体の画像処理とが含まれる。撮影空間Ａ１に入って写真シール作成ゲームを開始した利用者は、はじめに本撮影処理を行い、その後に被写体の画像処理を行う。
【００９３】
図１１は、明るさの調整の例を示すタイムチャートである。図１１の縦軸は撮影空間Ａ１内の照明度（明るさ）を表し、横軸は写真シール作成ゲームの開始からの時刻を表す。
図１２、図１３においても同様である。
【００９４】
照明制御部２２３は、写真シール作成ゲームの開始時刻である時刻ｔ０から、本撮影処理が終了する時刻である時刻ｔ１までの間、撮影空間Ａ１内の照明度が100%になるように各ストロボ内の蛍光灯の発光を制御する。本撮影処理の後に被写体の画像処理が行われるから、時刻ｔ１は、撮影空間Ａ１での本撮影処理以外の処理である被写体の画像処理の開始時刻でもある。
【００９５】
照明度100%は撮影空間Ａ１内の基準となる明るさであり、撮影空間Ａ１に設けられる各ストロボ内部の蛍光灯を所定の発光量で点灯させることによって、または、所定の数の蛍光灯を点灯させることによって実現される。
【００９６】
また、照明制御部２２３は、時刻ｔ１から、本撮影処理以外の処理である被写体の画像処理が終了する時刻である時刻ｔ２までの間、撮影空間Ａ１内の照明度が例えば25%になるように各ストロボ内の蛍光灯の発光を制御する。すなわち、本撮影処理を終えたとき、撮影空間Ａ１内が暗くなり、その状態の中で利用者は被写体の画像処理を行うことになる。全ての蛍光灯を少しずつ暗くして全体的に25％にしてもよいし、蛍光灯の点灯・非点灯の組合せによって全体的に25％になるようにしてもよい。
【００９７】
本撮影処理を行っているときと被写体の画像処理を行っているときとで撮影空間Ａ１内の明るさを切り替えることにより、写真シール機１は、利用者に対して、作業の切り替わりのタイミングを気付かせることができる。作業の切り替わりのタイミングを気付かせることによって、被写体の画像処理を利用者に集中して行わせることが可能になる。
【００９８】
照明制御部２２３は、時刻ｔ２になったとき、撮影空間Ａ１内の照明度を100%に戻すように各ストロボ内の蛍光灯の発光を制御する。被写体の画像処理が終了したときに行われる移動案内に従って、利用者は、明るい状態に戻った撮影空間Ａ１から出て編集空間Ａ２−１または編集空間Ａ２−２に移動することになる。
【００９９】
ここでは、本撮影処理が終わったときに照明度が100%から25%に下がるものとしたが、本撮影処理が終わったときに撮影空間Ａ１内の照明度が下がるような値であれば、照明度の値はこれらの値に限られるものではない。写真シール機１が設置された店舗の管理者が照明度を設定することができるようにしてもよい。照明度を下げることによって節電効果を得ることも可能になる。
【０１００】
図１２は、明るさの調整の他の例を示すタイムチャートである。
【０１０１】
撮影空間Ａ１に設けられるストロボからの光は、利用者を直接照射する直接光である。
図１２の例においては、撮影空間Ａ１内の所定の位置に間接照明が設けられており、間接照明の明るさをも調整することによって、撮影空間Ａ１内の明るさが調整されるようになされている。間接照明の光源は蛍光灯であってもよいし、白熱電球、LEDなどの他の照明機器であってもよい。間接照明は、正面パネル４１に設けられた左ストロボ８３の近傍や右ストロボ８４の近傍などの所定の位置に設けられる。
【０１０２】
図１２に示すように、照明制御部２２３は、写真シール作成ゲームの開始時刻である時刻ｔ０から、本撮影処理が終了する時刻である時刻ｔ１までの間、撮影空間Ａ１内の照明度が100%になるように各ストロボ内の蛍光灯の発光を制御する。時刻ｔ０から時刻ｔ１までの間、照明制御部２２３は、間接照明を発光させず、間接照明による照明度を0%のままとする。
【０１０３】
また、照明制御部２２３は、時刻ｔ１から、被写体の画像処理が終了する時刻である時刻ｔ２までの間、撮影空間Ａ１内の照明度が例えば50%になるように、各ストロボ内の蛍光灯の発光と、間接照明の発光とを制御する。例えば、照明制御部２２３は、各ストロボ内の蛍光灯の発光を照明度が25%になるまで下げるとともに、それと同じ発光量で間接照明を発光させることによって撮影空間Ａ１内の照明度を50%に調整する。
【０１０４】
これによっても、写真シール機１は、利用者に対して作業の切り替わりのタイミングを気付かせることができ、被写体の画像処理を集中して行わせることができる。また、ストロボ内の蛍光灯の発光量を落とすタイミングに合わせて間接照明を発光させることによって、ストロボ内の蛍光灯の発光量が落ちたときの利用者の不安感を軽減させることが可能になる。
【０１０５】
照明制御部２２３は、時刻ｔ２になったとき、間接照明の発光を終了させるとともに、撮影空間Ａ１内の照明度を100%に戻すように各ストロボ内の蛍光灯を発光させる。被写体の画像処理が終了したときに行われる移動案内に従って、利用者は、明るい状態に戻った撮影空間Ａ１から出て編集空間Ａ２−１または編集空間Ａ２−２に移動することになる。
【０１０６】
図１３は、明るさの調整のさらに他の例を示すタイムチャートである。
【０１０７】
図１１、図１２の例においては、100%から25%、または100%から50%といったように照明度が一気に下がるものとしたが、図１３の例においては、撮影空間Ａ１内の照明度が徐々に下がるようにストロボ内部の蛍光灯の発光が制御される。
【０１０８】
図１３に示すように、照明制御部２２３は、写真シール作成ゲームの開始時刻である時刻ｔ０から時刻ｔ１１までの間、撮影空間Ａ１内の照明度が100%になるように各ストロボ内の蛍光灯の発光を制御する。時刻ｔ１１は、本撮影処理が終了する時刻ｔ１から所定の時間だけ前の時刻である。
【０１０９】
また、照明制御部２２３は、時刻ｔ１１になったとき、時刻ｔ１１から時刻ｔ１の間に照明度を例えば25%にまで線形的に下げるように各ストロボ内の蛍光灯の発光を制御する。すなわち、利用者が本撮影処理を終えたとき、撮影空間Ａ１内の明るさが徐々に暗くなることになる。
【０１１０】
照明制御部２２３は、時刻ｔ１から、被写体の画像処理が終了する時刻である時刻ｔ２までの間、撮影空間Ａ１内の照明度を25%として維持する。
【０１１１】
照明制御部２２３は、時刻ｔ２になったとき、時刻ｔ２から時刻ｔ１２までの間に照明度を100%に線形的に戻すように各ストロボ内の蛍光灯の発光を制御する。すなわち、利用者が被写体の画像処理を終えたとき、撮影空間Ａ１内の明るさが徐々に明るくなることになる。時刻ｔ１２は、被写体の画像処理の終了時刻である時刻ｔ２から所定の時間だけ後の時刻である。照明制御部２２３は、時刻ｔ１２以降、撮影空間Ａ１内の照明度を100%として維持する。
【０１１２】
これによっても、写真シール機１は、被写体の画像処理を利用者に集中して行わせることができる。また、徐々に明るさを落とすことによって、ストロボ内の蛍光灯の発光量が落ちたときの利用者の不安感を軽減させることが可能になる。
【０１１３】
図１３に示すように明るさを徐々に変化させることが上述した間接照明を用いて行われるようにしてもよい。また、図１３に示すように線形的に明るさを変化させるのではなく、非線形的に変化させるようにしてもよいし、段階的に変化させるようにしてもよい。写真シール作成ゲーム開始後の本撮影処理の間であって、カメラ９１により取り込まれた動画像がタッチパネルモニタ９３にライブビュー表示されている期間は、本撮影処理の他の期間より照明度が落とされるようにしてもよい。
【０１１４】
［写真シール機の動作］
ここで、図１４のフローチャートを参照して、写真シール作成ゲームを提供する写真シール機１の処理について説明する。
【０１１５】
ステップＳ１において、写真シール機１の制御部２０１は、所定の金額分の硬貨が投入されたか否かを硬貨処理部２２１から供給される信号に基づいて判定し、投入されたと判定するまで待機する。
【０１１６】
硬貨が投入されたとステップＳ１において判定した場合、ステップＳ２において、制御部２０１は、撮影部２０８を制御し、本撮影処理を行う。本撮影処理により、撮影空間Ａ１にいる利用者を被写体として撮影が行われる。本撮影処理については図１５のフローチャートを参照して後述する。写真シール機１による撮影処理は、ステップＳ２の本撮影処理とステップＳ３の被写体の画像処理からなる。本撮影処理は、撮影空間Ａ１内の照明度が100%の状態で行われる。
【０１１７】
ステップＳ３において、制御部２０１は被写体の画像処理を行う。被写体の画像処理により、本撮影処理によって得られた撮影画像の明るさの調整などの各種の処理が行われる。被写体の画像処理については図１６のフローチャートを参照して後述する。
【０１１８】
ステップＳ４において、制御部２０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１９】
ステップＳ５において、制御部２０１は、編集空間Ａ２−１と編集空間Ａ２−２のうち、撮影処理を終えた利用者の移動先とした方の編集空間のタブレット内蔵モニタ１３１に編集対象画像の選択画面を表示させ、利用者による選択を受け付ける。編集対象画像の選択画面には、本撮影処理によって得られた撮影画像が一覧表示される。
【０１２０】
ステップＳ６において、制御部２０１は、編集対象画像として選択された撮影画像を記憶部２０２に記憶させて保存する。
【０１２１】
ステップＳ７において、制御部２０１は、撮影画像の画像処理を行う。撮影画像の画像処理は、編集対象画像として選択された撮影画像に合成する合成用画像を利用者に選択させ、選択された合成用画像を撮影画像に合成する処理である。
【０１２２】
制御部２０１は、編集対象画像として選択された撮影画像とともに合成用画像をタブレット内蔵モニタ１３１に表示し、利用者による選択を受け付ける。合成用画像が利用者により選択されたとき、制御部２０１は、撮影画像に合成用画像を合成し、得られた合成画像をタブレット内蔵モニタ１３１に表示させる。ステップＳ６の編集対象画像の選択と、ステップＳ７の撮影画像の画像処理のうちの少なくとも一方は、撮影部２０８により、撮影空間Ａ１にいる利用者を対象として行われるようにしてもよい。
【０１２３】
ステップＳ８において、制御部２０１は、編集部２０９Ａまたは編集部２０９Ｂを制御し、編集処理を行う。制御部２０１は、編集画面をタブレット内蔵モニタ１３１に表示させ、利用者による編集操作に従って、編集対象として選択された撮影画像の編集を行う。
編集が終了したとき、制御部２０１は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０１２４】
ステップＳ９において、制御部２０１は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または／及び音声をスピーカ２３１から出力させることによって行われる。
【０１２５】
ステップＳ１０において、制御部２０１は、事後接客部２１０を制御し、事後接客処理を行う。例えば、撮影画像や編集済みの画像を携帯端末に送信する処理を事後接客処理として行う場合、制御部２０１は、携帯端末の電子メールアドレスの入力画面や、送信する画像の選択画面をタブレット内蔵モニタ１６１に表示させ、利用者による操作に応じて画像を送信する。また、ミニゲームを利用者に行わせる処理を事後接客処理として行う場合、制御部２０１は、ミニゲームの画面をタブレット内蔵モニタ１６１に表示させる。アンケートに答えさせる処理を事後接客処理として行う場合、制御部２０１は、アンケート画面をタブレット内蔵モニタ１６１に表示させ、利用者による回答を取得する。
【０１２６】
ステップＳ１０において事後接客処理を行うことと並行して、ステップＳ１１において、制御部２０１は印刷処理を行う。制御部２０１は、利用者により選択された画像をプリンタ２４１に出力してシール紙に印刷させる。
【０１２７】
印刷が終了したとき、ステップＳ１２において、プリンタ２４１は、画像が印刷されたシール紙をシール紙排出口１６４に排出し、処理を終了させる。
【０１２８】
次に、図１５のフローチャートを参照して、図１４のステップＳ２において行われる本撮影処理について説明する。
【０１２９】
ステップＳ２１において、制御部２０１は、写り選択画面をタッチパネルモニタ９３に表示させ、利用者による写り選択を受け付ける。写り選択は、色合いやシャープネス等の、撮影画像の画質の選択である。制御部２０１は、利用者により選択された写りに応じて、カメラ９１により撮影された画像の画質を調整する。
【０１３０】
ステップＳ２２において、制御部２０１は、撮影方法の案内画面をタッチパネルモニタ９３に表示させる。撮影方法の案内画面を表示した後、制御部２０１は、カメラ９１を制御し、画像の取り込みを開始させる。
【０１３１】
ステップＳ２３において、制御部２０１は、カメラ９１により取り込まれた動画像をタッチパネルモニタ９３に表示させる（ライブビュー表示を行う）。
【０１３２】
ステップＳ２４において、制御部２０１は、タッチパネルモニタ９３にカウントダウンインジケータを表示し、撮影タイミングを利用者に通知する。
【０１３３】
撮影タイミングになったとき、ステップＳ２５において、制御部２０１は、カメラ９１を制御して撮影を行い、静止画像である撮影画像を取得する。
【０１３４】
ステップＳ２６において、制御部２０１は、撮影画像をタッチパネルモニタ９３に表示し、撮影結果を利用者に確認させる。
【０１３５】
ステップＳ２７において、制御部２０１は、撮影を所定回数繰り返し行ったか否かを判定する。制御部２０１は、撮影を所定回数行っていないとステップＳ２７において判定した場合、ステップＳ２３に戻り、以上の処理を繰り返し行う。
【０１３６】
一方、撮影を６回などの所定の回数繰り返し行ったとステップＳ２７において判定した場合、ステップＳ２８において、制御部２０１は、撮影可能時間内であるか否かを判定する。例えば、本撮影処理を開始してからの時間が、本撮影処理に割り当てられた時間を経過していない場合、撮影可能時間内であるとして判定される。
【０１３７】
撮影可能時間内であるとステップＳ２８において判定した場合、ステップＳ２９において、制御部２０１は、ボーナス撮影の案内画面をタッチパネルモニタ９３に表示させる。
ボーナス撮影は、ステップＳ２５において行われる通常の撮影と異なる形で行われる撮影であり、例えば、カメラ９１により取り込まれた動画像に対して合成用の画像がリアルタイムで合成され、その合成結果の画像がライブビュー表示される。
【０１３８】
ステップＳ３０において、制御部２０１は、動画像に合成する合成用の画像である撮影用合成用画像を例えば記憶部２０２から読み出す。撮影用合成用画像が予め決められているのではなく、複数種類の画像の中から撮影用合成用画像を利用者に選択させるようにしてもよい。
【０１３９】
ステップＳ３１において、制御部２０１は、カメラ９１により取り込まれた動画像の各画像に撮影用合成用画像を合成し、合成結果をタッチパネルモニタ９３に表示させてライブビュー表示を行う。
【０１４０】
ステップＳ３２において、制御部２０１はボーナス撮影を行う。すなわち、制御部２０１は、タッチパネルモニタ９３にカウントダウンインジケータを表示し、撮影タイミングを利用者に通知する。
【０１４１】
撮影タイミングになったとき、ステップＳ３３において、制御部２０１は、カメラ９１を制御して撮影を行い、撮影画像を取得する。
【０１４２】
ステップＳ３４において、制御部２０１は、ボーナス撮影によって得られた撮影画像をタッチパネルモニタ９３に表示し、撮影結果を利用者に確認させる。
【０１４３】
ボーナス撮影の結果の確認が行われた後、またはステップＳ２８において撮影可能時間内ではないと判定された場合、図１４のステップＳ２に戻り、それ以降の処理が行われる。
【０１４４】
次に、図１６のフローチャートを参照して、図１４のステップＳ３において行われる被写体の画像処理について説明する。
【０１４５】
ステップＳ４１において、制御部２０１は、照明制御部２２３を制御し、撮影空間Ａ１内の照明度を下げる。上述したように、撮影処理の内容が本撮影処理から被写体の画像処理に切り替わったタイミングで撮影空間Ａ１内の照明度は下げられる。
【０１４６】
ステップＳ４２において、制御部２０１は、撮影画像に写る利用者の目のサイズの選択に用いられる目サイズ選択画面をタッチパネルモニタ９３に表示させ、利用者による選択を受け付ける。例えば、制御部２０１は、本撮影処理によって得られた複数の撮影画像（利用者が被写体として写っている画像）の中から所定の撮影画像を選択し、選択した撮影画像に写る利用者の目を検出する。制御部２０１は、検出した目のサイズを変えることによって、写っている目のサイズが異なる複数の画像を生成し、目サイズ選択画面に表示させる。利用者は、自分が実際に写っている画像を見て目のサイズを選択することができる。
【０１４７】
ステップＳ４３において、制御部２０１は、利用者による操作に応じて目のサイズを選択する。
【０１４８】
ステップＳ４４において、制御部２０１は、利用者により選択されたサイズの目が写っている画像になるように、全ての撮影画像に写る利用者の目のサイズを一括して変更する。
【０１４９】
ステップＳ４５において、制御部２０１は、目のサイズを変更した撮影画像をタッチパネルモニタ９３に表示し、目のサイズの変更結果を利用者に確認させる。タッチパネルモニタ９３には、目のサイズを決定するときに操作される決定ボタンも表示される。
【０１５０】
ステップＳ４６において、制御部２０１は、決定ボタンが押されたか否かをタッチパネルモニタ９３から供給された情報に基づいて判定し、押されていないと判定した場合、ステップＳ４３に戻り、以上の処理を繰り返す。
【０１５１】
一方、決定ボタンが押されたとステップＳ４６において判定した場合、ステップＳ４７において、制御部２０１は、目のサイズを決定し、決定した目のサイズを表す情報を記憶部２０２などに記憶させて保存する。被写体の画像処理の終了後にタブレット内蔵モニタ１３１に表示される編集対象画像の選択画面や編集画面には、利用者により選択されたサイズで利用者の目が写っている撮影画像が表示される。
【０１５２】
ステップＳ４８において、制御部２０１は、撮影画像の明るさの選択に用いられる明るさ選択画面をタッチパネルモニタ９３に表示させ、利用者による選択を受け付ける。例えば、制御部２０１は、本撮影処理によって得られた複数の撮影画像の中から所定の撮影画像を選択し、選択した撮影画像の明るさを変えることによって明るさの異なる複数の画像を生成する。制御部２０１は、生成した複数の画像を明るさ選択画面に表示させ、画像の明るさを利用者に選択させる。利用者は、自分が実際に写っている画像を見て画像の明るさを選択することができる。
【０１５３】
ステップＳ４９において、制御部２０１は、利用者による操作に応じて明るさを選択する。
【０１５４】
ステップＳ５０において、制御部２０１は、利用者により選択された明るさの画像になるように、全ての撮影画像の明るさを一括して変更する。
【０１５５】
ステップＳ５１において、制御部２０１は、明るさを変更した撮影画像をタッチパネルモニタ９３に表示し、明るさの変更結果を利用者に確認させる。タッチパネルモニタ９３には、明るさを決定するときに操作される決定ボタンも表示される。
【０１５６】
ステップＳ５２において、制御部２０１は、決定ボタンが押されたか否かをタッチパネルモニタ９３から供給された情報に基づいて判定し、押されていないと判定した場合、ステップＳ４９に戻り、以上の処理を繰り返す。
【０１５７】
一方、決定ボタンが押されたとステップＳ５２において判定した場合、ステップＳ５３において、制御部２０１は、画像の明るさを決定し、決定した明るさを表す情報を記憶部２０２などに記憶させて保存する。被写体の画像処理の終了後にタブレット内蔵モニタ１３１に表示される編集対象画像の選択画面や編集画面には、利用者により選択された明るさの撮影画像が表示される。
【０１５８】
このように、被写体の画像処理は、撮影画像に写る利用者の目のサイズと撮影画像の明るさを選択する処理である。撮影画像の明るさの選択が終了したタイミングで、ステップＳ５４において、制御部２０１は、照明制御部２２３を制御して照明度を上げ、撮影空間Ａ１内の明るさを本撮影処理時と同じ明るさに戻す。その後、図１４のステップＳ３に戻り、それ以降の処理が行われる。
【０１５９】
以上の一連の処理により、本撮影処理後の被写体の画像処理を利用者に集中して行わせることが可能になる。
【０１６０】
以上においては、撮影処理が本撮影処理と被写体の画像処理からなるものとしたが、撮影処理に他の処理が含まれ、ある処理から他の処理に切り替わるタイミングで撮影空間Ａ１１内の明るさが変化するようにしてもよい。明るさが切り替わる回数は一回に限られるものではなく、複数回切り替わるようにしてもよい。
【０１６１】
本撮影処理では撮影を行うために本撮影処理以外の被写体の画像処理時よりも十分な光量が必要である。一方、被写体の画像処理は利用者がタッチパネルモニタ９３を見て行う処理であるため、撮影空間Ａ１内の光量よりタッチパネルモニタ９３の方を明るくすれば、より画像処理時の選択に集中させることができる。
【０１６２】
図１５のステップＳ２３の処理時にタッチパネルモニタ９３に表示されるライブビュー画面を図１７に示すような画面にすることもできる。図１７の例においては、ライブビュー画面のほぼ中央にカメラ９１により取り込まれた動画像９３Ａが表示され、動画像９３Ａの下に６枚のサムネイル画像である画像Ｐ１〜Ｐ６が表示されている。
【０１６３】
画像Ｐ１は、１回目の撮影によって得られた画像の内容を表し、画像Ｐ２〜Ｐ６はモデル見本画像である。１回目の撮影が行われたとき、それまで表示されていたモデル見本画像に代えて、１回目の撮影によって得られた画像が画像Ｐ１として表示される。２回目以降の撮影が行われる毎に、画像Ｐ２〜Ｐ６として示すモデル見本画像が、順次、２回目以降の撮影によって得られた画像に切り替えられる。
【０１６４】
動画像９３Ａと撮影結果を表す画像Ｐ１およびモデル見本画像である画像Ｐ２〜Ｐ６以外をグレースケール表示とするようにしてもよい。これにより、撮影時にモデル見本画像を確認しながら撮影することができ、さらに動画像９３Ａが目立つことになり、利用者は本撮影処理に集中することができる。
【０１６５】
ライブビュー画面がこのような構成を有する場合、動画像９３Ａと撮影結果を表す画像Ｐ１のみをカラー表示とし、モデル見本画像である画像Ｐ２〜Ｐ６をグレースケール表示とするようにしてもよい。これにより、動画像９３Ａが（動画像９３Ａと撮影結果を表す画像Ｐ１およびモデル見本画像である画像Ｐ２〜Ｐ６以外をグレースケール表示とした上記の場合よりも、さらに）目立つことになり、利用者は本撮影処理に集中することができる。
【０１６６】
また、グレースケール表示ではなく、黒色などを用いて、画像Ｐ２〜Ｐ６を暗色表示するようにしてもよい。これにより、グレースケール表示の場合と較べて動画像９３Ａがより目立つことになり、利用者はより本撮影処理に集中することができる。
【０１６７】
ライブビュー画面が表示されてから所定の時間が経過した後、撮影までのカウントダウンが開始されるが、このカウントダウンが行われているときに、画像Ｐ２〜Ｐ６をグレースケール表示としたり、暗色表示としたりしてもよい。これにより、グレースケール表示の場合、および暗色表示の場合と較べてより動画像９３Ａが目立つことになり、利用者はより本撮影処理に集中することができる。
【０１６８】
＜第２の実施の形態＞
［写真シール機の外観構成］
図１８は、写真シール機１の外観の他の構成例を示す斜視図である。上述した構成と同じ構成には同じ符号を付してある。
【０１６９】
図１８に示すように、写真シール機１は、主に、撮影ユニット１１、編集部１２、および事中接客部３０１から構成される。編集部１２と事中接客部３０１が接した状態で設置され、撮影ユニット１１は、編集部１２と事中接客部３０１から離れた位置に設置される。
【０１７０】
撮影ユニット１１は、撮影部２１と背景部２２から構成される。撮影部２１と背景部２２は所定の距離だけ離れて設置され、撮影部２１と背景部２２の間に形成される撮影空間において撮影処理が行われる。
【０１７１】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【０１７２】
背景部２２は、正面を向いて撮影処理を行っている利用者の背面側に位置する板状の部材である背面パネル５１から構成される。背景部２２の上部には、背面パネル５１に支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【０１７３】
複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【０１７４】
撮影部２１の左側面を構成する側面パネル４２Ａの上部と背景カーテンユニット２５は、板状の部材である連結部２３Ａによって連結される。また、撮影部２１の右側面を構成する側面パネル４２Ｂの上部と背景カーテンユニット２５は、板状の部材である連結部２３Ｂによって連結される。
【０１７５】
撮影部２１の側面パネル４２Ａ、連結部２３Ａ、および背景部２２の背面パネル５１に囲まれることによって形成される開口が撮影空間の出入り口Ｇ１となる。撮影部２１の側面パネル４２Ｂ、連結部２３Ｂ、および背景部２２の背面パネル５１に囲まれることによって形成される開口も撮影空間の出入り口Ｇ２となる。
【０１７６】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【０１７７】
正面パネル４１の背面側には、所定の距離だけ離れた位置に、正面パネル４１の背面に対して正面が向くように事中接客部３０１が設けられる。事中接客部３０１は、事中接客処理を利用者に行わせる装置である。事中接客処理として、上述した被写体の画像処理が行われる。図１８の写真シール機１の利用者は、撮影処理に含まれる本撮影処理と被写体の画像処理のうち、本撮影処理のみを撮影空間で行い、被写体の画像処理については、事中接客部３０１の正面前方に形成される事中接客空間で行うことになる。
【０１７８】
事中接客部３０１は、所定の厚さを有する板状の筐体を有しており、その背面が編集部１２の右側面に接するように編集部１２に連結して設けられる。事中接客部３０１の正面には、事中接客処理時に利用者により用いられるタブレット内蔵モニタが設けられる。
【０１７９】
事中接客部３０１の上方には連結レール３０２が取り付けられる。連結レールは３本のレール３０２Ａ乃至３０２Ｃを組み合わせて構成される。レール３０２Ａの一端は連結部２３Ａに固定され、他端は、レール３０２Ａの延長上にあるカーテンレール２６のレール２６Ａと接合される。レール３０２Ｂの一端は連結部２３Ｂに固定され、他端は、レール３０２Ｂの延長上にあるカーテンレール２６のレール２６Ｂと接合される。レール３０２Ｃの一端は、レール３０２Ａとレール２６Ａの接合部に接合され、他端は、レール３０２Ｂとレール２６Ｂの接合部に接合される。
【０１８０】
図１８に示す編集部１２の構成を正面側の構成とすると、レール３０２Ｃには、事中接客空間と編集部１２の正面側の編集空間とを仕切る仕切りカーテン３０３Ａ、および、事中接客空間と編集部１２の背面側の編集空間とを仕切る仕切りカーテン３０３Ｂが取り付けられる。仕切りカーテン３０３Ａと３０３Ｂは、事中接客部３０１の正面とほぼ平行に取り付けられる。
【０１８１】
事中接客空間と編集空間を仕切るカーテンが事中接客部３０１の正面とほぼ平行に取り付けられることにより、事中接客部３０１の正面に設けられるタブレット内蔵モニタ１６１などを用いて事中接客処理を終えた利用者は、その向きのまま、編集空間に移動することができる。また、仕切りカーテン３０３Ａと３０３Ｂを、各空間にいる利用者の足元が見える高さに取り付けることによって、編集空間への移動を容易に行わせることができる。仕切りカーテン３０３Ａと３０３Ｂの代わりに、事中接客空間と編集空間を仕切るパネルを設けてもよい。
【０１８２】
編集部１２は、撮影処理によって得られた画像を編集する処理である編集処理を利用者に行わせる装置である。編集部１２には、編集処理時に利用者により用いられるタブレット内蔵モニタなどの構成が設けられる。２組の利用者が同時に編集処理を行うことができるように、編集部１２の正面側と背面側には編集処理に用いられる構成がそれぞれ設けられる。
【０１８３】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図２０）が設けられる。
【０１８４】
編集部１２の上方にはカーテンレール２６が取り付けられる。カーテンレール２６は、上から見たときの形状がコの字状となるように３本のレール２６Ａ乃至２６Ｃを組み合わせて構成される。レール２６Ａの一端は、連結レールのレール３０２Ａと接合され、レール２６Ａの他端はレール２６Ｃの一端と接合される。レール２６Ｂの一端は、連結レールのレール３０２Ｂと接合され、レール２６Ｂの他端はレール２６Ｃの他端と接合される。
【０１８５】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う空間である編集空間となる。
【０１８６】
図１９は、カーテンを取り付けた状態の写真シール機１の外観を示す図である。
【０１８７】
図１９に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【０１８８】
また、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【０１８９】
事中接客空間の上方に設けられるレール３０２Ａにはカーテン３１１Ａが取り付けられ、レール３０２Ｂにはカーテン３１１Ｂが取り付けられる。編集空間の上方に設けられるレール２６Ａにはカーテン３１２Ａが取り付けられ、レール２６Ｂにはカーテン３１２Ｂが取り付けられる。
【０１９０】
図２０は、図１８の写真シール機１を別の角度から見た斜視図である。
【０１９１】
編集部１２の左側面７６には、撮影画像や編集済みの画像が印刷されたシール紙が排出されるシール紙排出口１６４が設けられる。編集部１２の左側面７６の前方の空間が、利用者がシール紙の印刷が終わるのを待つ印刷待ち空間となる。
【０１９２】
ここで、図１８の写真シール機１により提供される写真シール作成ゲームの流れと、それに伴う利用者の移動について図２１を参照して説明する。図２１は、写真シール機１を上から見た平面図である。
【０１９３】
写真シール機１の利用者は、白抜き矢印＃１１で示すように出入り口Ｇ１から、または白抜き矢印＃１２で示すように出入り口Ｇ２から、撮影部２１と背景部２２の間に形成された撮影空間Ａ１に入り、撮影部２１に設けられたカメラやタッチパネルモニタなど利用して撮影処理のうちの本撮影処理を行う。
【０１９４】
本撮影処理を終えた利用者は、白抜き矢印＃１３で示すように出入り口Ｇ１を使って撮影空間Ａ１から出て事中接客空間Ａ１１に移動するか、白抜き矢印＃１４で示すように出入り口Ｇ２を使って撮影空間Ａ１から出て事中接客空間Ａ１１に移動し、被写体の画像処理を行う。
【０１９５】
被写体の画像処理を終えた利用者は、白抜き矢印＃１５で示すように事中接客空間Ａ１１から出て編集空間Ａ２−１に移動するか、白抜き矢印＃１６で示すように事中接客空間Ａ１１から出て編集空間Ａ２−２に移動する。
【０１９６】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、事中接客部３０１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【０１９７】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃１７で示すように編集空間Ａ２−１から印刷待ち空間Ａ１２に移動して印刷が終わるのを待つ。また、編集処理を終えた利用者は、編集空間Ａ２−２で編集処理を行っていた場合には白抜き矢印＃１８で示すように編集空間Ａ２−２から印刷待ち空間Ａ１２に移動し、印刷待ち空間Ａ１２において印刷が終わるのを待つ。
【０１９８】
画像の印刷が終了したとき、利用者は、編集部１２の左側面７６に設けられたシール紙排出口１６４からシール紙を受け取り、一連の写真シール作成ゲームを終えることになる。
【０１９９】
このように、事中接客空間Ａ１１を設け、被写体の画像処理を、本撮影処理を行う撮影空間Ａ１とは別の空間である事中接客空間Ａ１１で行わせることにより、被写体の画像処理を利用者に集中して行わせることが可能になる。また、撮影空間Ａ１では本撮影処理のみを行わせることにより、本撮影処理にも利用者を集中させることが可能になる。
【０２００】
本撮影処理と被写体の画像処理を撮影空間Ａ１で行わせ、編集対象画像の選択などの、撮影画像の編集前の処理を事中接客空間Ａ１１で行わせるようにしてもよい。本撮影処理と他の処理を撮影空間Ａ１で行わせる場合、図１１を参照して説明したようにして撮影空間Ａ１内の明るさを調整してもよい。
【０２０１】
［各装置の構成］
次に、各装置の構成について説明する。撮影部２１の正面の構成は図５および図６に示す構成と同じである。また、背景部２２の撮影空間Ａ１側の構成は図７に示す構成と同じである。
【０２０２】
図２２は、編集部１２の正面側（編集空間Ａ２−１側）の構成例を示す図である。
【０２０３】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０２０４】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０２０５】
編集部１２の右側には事中接客部３０１が設けられる。
【０２０６】
図２３は、編集部１２の左側面の構成例を示す図である。
【０２０７】
編集部１２の左側面７６にはシール紙排出口１６４が設けられる。シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【０２０８】
編集空間Ａ２−２側の斜面７７には、斜面７２に設けられる図２２の構成と同じ構成が設けられる。
【０２０９】
図２４は、事中接客部３０１の正面の構成例を示す図である。
【０２１０】
事中接客部３０１の構成は、シール紙排出口１６４が設けられていない点を除いて事後接客部１３の構成と同じである。事中接客部３０１の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。
【０２１１】
タブレット内蔵モニタ１６１の下には非接触型ICリーダ／ライタ１６３が設けられ、非接触型ICリーダ／ライタ１６３の下方にはスピーカ１６５が設けられる。非接触型ICリーダ／ライタ１６３は、近接された非接触型ICと通信を行い、非接触型ICからのデータの読み出しや非接触型ICに対するデータの書き込みを行う。スピーカ１６５は、事中接客処理の案内音声、BGM、効果音等の音を出力する。
【０２１２】
事中接客部３０１の設置位置は、事中接客空間Ａ１１のいずれの位置であってもよい。
例えば、撮影部２１に寄せて設置したり、事中接客空間Ａ１１のいずれか一方の出入り口部分に設置したりしてもよい。なお、編集空間Ａ２−１またはＡ２−２までの移動の動線を考慮した場合、よりよい設置位置は、撮影部２１側もしくは編集部１２側の位置となる。
【０２１３】
［写真シール機の内部構成］
図２５は、図１８の写真シール機１の内部の構成例を示すブロック図である。図１０を参照して説明した構成と同じ構成には同じ符号を付してある。重複する説明については適宜省略する。
【０２１４】
事中接客部３５１は、事中接客空間Ａ１１における事中接客処理を行う構成であるタブレット内蔵モニタ１６１、タッチペン１６２Ａ，１６２Ｂ、非接触型ICリーダ／ライタ１６３、およびスピーカ１６５から構成される。
【０２１５】
［写真シール機の動作］
ここで、図２６のフローチャートを参照して、写真シール作成ゲームを提供する図１８の写真シール機１の処理について説明する。
【０２１６】
ステップＳ１０１において、写真シール機１の制御部２０１は、所定の金額分の硬貨が投入されたか否かを硬貨処理部２２１から供給される信号に基づいて判定し、投入されたと判定するまで待機する。
【０２１７】
硬貨が投入されたとステップＳ１０１において判定した場合、ステップＳ１０２において、制御部２０１は、撮影部２０８を制御し、本撮影処理を行う。図１５のフローチャートを参照して説明したように、本撮影処理により、撮影空間Ａ１にいる利用者を被写体として撮影が行われる。
【０２１８】
ステップＳ１０３において、制御部２０１は、撮影空間Ａ１にいる利用者に対して、事中接客空間Ａ１１への移動を案内する。事中接客空間Ａ１１への移動の案内は、撮影部２０８のタッチパネルモニタ９３に画面を表示させることによって、または音声をスピーカ２２４から出力させることによって行われる。
【０２１９】
ステップＳ１０４において、制御部２０１は、事中接客部３５１を制御し、事中接客空間Ａ１１にいる利用者による操作に応じて被写体の画像処理を行う。図１６のフローチャートを参照して説明した被写体の画像処理により、本撮影処理によって得られた撮影画像に写る利用者の目のサイズの選択と、撮影画像の明るさの選択が事中接客空間Ａ１１にいる利用者によって行われる。目のサイズの選択に用いられる選択画面と、撮影画像の明るさの調整に用いられる選択画面は事中接客部３０１のタブレット内蔵モニタ１６１に表示される。
【０２２０】
ステップＳ１０５において、制御部２０１は、タブレット内蔵モニタ１６１に編集対象画像の選択画面を表示させ、利用者による選択を受け付ける。この例においては、編集対象画像の選択と、撮影画像の画像処理（ステップＳ１０７）が事中接客空間Ａ１１において行われる。編集対象画像の選択画面には、本撮影処理によって得られた撮影画像が一覧表示される。
【０２２１】
ステップＳ１０６において、制御部２０１は、編集対象画像として選択された撮影画像を記憶部２０２に記憶させて保存する。
【０２２２】
ステップＳ１０７において、制御部２０１は、撮影画像の画像処理を行う。撮影画像の画像処理は、編集対象画像として選択された撮影画像に合成する合成用画像を利用者に選択させ、選択された合成用画像を撮影画像に合成する処理である。
【０２２３】
制御部２０１は、編集対象画像として選択された撮影画像とともに合成用画像をタブレット内蔵モニタ１６１に表示し、利用者による選択を受け付ける。合成用画像が利用者により選択されたとき、制御部２０１は、撮影画像に合成用画像を合成し、得られた合成画像をタブレット内蔵モニタ１６１に表示させる。
【０２２４】
ステップＳ１０８において、制御部２０１は、事中接客空間Ａ１１にいる利用者に対して、編集空間Ａ２−１または編集空間Ａ２−２への移動を案内する。編集空間Ａ２−１または編集空間Ａ２−２への移動の案内は、事中接客部３５１のタブレット内蔵モニタ１６１に画面を表示させることによって、または音声をスピーカ１６５から出力させることによって行われる。
【０２２５】
ステップＳ１０９において、制御部２０１は、編集部２０９Ａまたは編集部２０９Ｂを制御し、編集処理を行う。制御部２０１は、編集画面をタブレット内蔵モニタ１３１に表示させ、利用者による編集操作に従って、編集対象として選択された撮影画像の編集を行う。編集が終了したとき、制御部２０１は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０２２６】
ステップＳ１１０において、制御部２０１は、編集空間Ａ２−１または編集空間Ａ２−２で編集処理を終えた利用者に対して印刷待ち空間Ａ１２への移動を案内する。印刷待ち空間Ａ１２への移動の案内は、タブレット内蔵モニタ１３１に画面を表示させることによって、または音声をスピーカ２３１から出力させることによって行われる。印刷待ち空間Ａ１２への移動を案内する前、事後接客処理が編集空間Ａ２−１または編集空間Ａ２−２において行われるようにしてもよい。
【０２２７】
ステップＳ１１１において、制御部２０１は印刷処理を行う。制御部２０１は、利用者により選択された画像をプリンタ２４１に出力してシール紙に印刷させる。
【０２２８】
印刷が終了したとき、ステップＳ１１２において、プリンタ２４１は、画像が印刷されたシール紙をシール紙排出口１６４に排出し、処理を終了させる。
【０２２９】
なお、非接触型ICリーダ／ライタ１６３を、事中接客部３０１ではなく編集部１２に設けるようにしてもよい。また、図１の写真シール機１のように、図１８の写真シール機１にも事後接客部１３を設けるようにしてもよい。
【０２３０】
撮影空間Ａ１では本撮影処理を行うために本撮影処理以外の被写体の画像処理を行う事中接客空間Ａ１１よりも十分な光量が必要である。一方、事中接客空間Ａ１１で行う被写体の画像処理時の選択は、利用者がタブレット内蔵モニタ１６１を見て行う処理であるため、撮影空間Ａ１内の光量より事中接客空間Ａ１１の光量を減らし、タブレット内蔵モニタ１６１の方を明るくすれば、より事中接客空間Ａ１１での画像処理時の選択に集中させることができる。
【０２３１】
＜変形例＞
図７を参照して説明したように、背景部２２には背面中央ストロボ１０１、背面左ストロボ１０２、および背面右ストロボ１０３が設けられるが、これらのストロボは、乳白アクリル板を備えかつハニカムを備えないストロボとすることができる。そのような構成を備えるストロボを撮影時に発光させることによって、より良い仕上がりの撮影画像を提供することができる。
【０２３２】
例えば、背面左ストロボ１０２と背面右ストロボ１０３によって利用者の髪の両サイドを照射することによって、髪に艶がある雰囲気の撮影画像を提供することが可能になる。
また、乳白アクリル板を備えることによって、柔らかい雰囲気の光を照射し、さらに、ハニカムを備えていないため被写体の周囲全体を照射するので、被写体全体が柔らかい雰囲気の撮影画像を提供することができる。乳白アクリル板を備えかつハニカムを備えないストロボを背景部２２に設けることによって、撮影時のストロボの照射範囲を拡大することが可能になる。
【０２３３】
また、背面中央ストロボ１０１を設けることによって、利用者が撮影空間の後方で本撮影処理を行っている場合に、撮影画像に写る利用者の影の部分を明るくすることができ、さらに、背景カーテンを照射するので、クロマキ処理を正しく行うことができる。背面中央ストロボ１０１が設けられていない場合、利用者の中央付近を上方から照射するのは撮影部２１の正面に設けられた上ストロボ８２と天井ストロボユニット２４内のストロボとなるが、利用者が撮影空間の後方で本撮影処理を行っているときには利用者に十分な量の光を照射することができず、影になる部分が多くなってしまうがそのようなことを防止することができる。
【０２３４】
本発明の実施の形態は、上述した実施の形態に限定されるものではなく、本発明の要旨を逸脱しない範囲において種々の変更が可能である。
【符号の説明】
【０２３５】
１  写真シール作成機，  １１  撮影ユニット，  １２  編集部，  １３  事後接客部，  ２１  撮影部，  ２２  背景部
【図１】
2015043092.tif 000003
【図２】
2015043092.tif 000004
【図３】
2015043092.tif 000005
【図４】
2015043092.tif 000006
【図５】
2015043092.tif 000007
【図６】
2015043092.tif 000008
【図７】
2015043092.tif 000009
【図８】
2015043092.tif 000010
【図９】
2015043092.tif 000011
【図１０】
2015043092.tif 000012
【図１１】
2015043092.tif 000013
【図１２】
2015043092.tif 000014
【図１３】
2015043092.tif 000015
【図１４】
2015043092.tif 000016
【図１５】
2015043092.tif 000017
【図１６】
2015043092.tif 000018
【図１７】
2015043092.tif 000019
【図１８】
2015043092.tif 000020
【図１９】
2015043092.tif 000021
【図２０】
2015043092.tif 000022
【図２１】
2015043092.tif 000023
【図２２】
2015043092.tif 000024
【図２３】
2015043092.tif 000025
【図２４】
2015043092.tif 000026
【図２５】
2015043092.tif 000027
【図２６】
2015043092.tif 000028